(57)【要約】本発明は、ベッド、マットレス、ひじ掛け椅子などに使用する調整装置（１０）に関し、当該調整装置は、支持面（１２Ａ）を構成するべく変位方向（Ａ）に対してある角度に延びる支持要素（１２）と、前記支持面の傾斜を調節するための少なくとも１つの駆動装置（２４）と、を備えており、当該駆動装置は、少なくとも１つの揺動可能な昇降レバー（１４）を有している。調整装置の構成の簡易化のために、少なくとも１つの昇降レバー（１４）は、相互に相対的に揺動する複数のバー要素（１６Ａ〜１６Ｇ）と組み合わせられており、その昇降動作が人間工学上の詳細な動作に調和するようにしている。
2005532145.tif 000002
【特許請求の範囲】
【請求項１】
ベッド、マットレス、ひじ掛け椅子などに使用する調整装置（１０）であって、支持面（１２Ａ）を構成するべく変位方向（Ａ）に対してある角度で延びる支持要素（１２）と、前記支持面の傾斜を調節するための少なくとも１つの駆動装置（２４）と、を具備しており、当該駆動装置（２４）は少なくとも１つの揺動可能な昇降レバー（１４）を備えており、当該昇降レバー（１４）は、それとは個別に揺動する複数のバー要素（１６Ａ〜１６Ｇ）を備えていることを特徴とする、調整装置。
【請求項２】
ベッド、マットレス、ひじ掛け椅子などに使用する調整装置（１０）であって、支持面（１２Ａ）を保持するべく変位方向（Ａ）に対してある角度で延びるバー（１６）と、前記支持面の傾斜を調整するための少なくとも１つの駆動装置（２４）と、を具備しており、前記バーはリンクチェーンを形成する複数のバー要素（１６Ａ，１６Ｂ，１６Ｃ，１６Ｄ，１６Ｅ，１６Ｆ，１６Ｇ）からなり、当該バー要素の相対位置を調整するための実質的に剛性の揺動可能な昇降レバー（１４）を完全に収容することを特徴とする、調整装置。
【請求項３】
マットレス、クッション、ベッド、ひじ掛け椅子などに使用する調整可能な支持装置であって、揺動可能なバーと、支持面（１２Ａ）を構成するべくバーの間を延びる支持要素（１２）と、を具備しており、前記各バーは実質的に剛性の少なくとも１つの昇降レバー（１４）を備えており、前記昇降レバーは互いに揺動可能にリンクチェーン状に接続されたバー要素を支持していることを特徴とする、支持装置。
【請求項４】
前記揺動可能なバー要素はリンクチェーンを形成していることを特徴とする、請求項１または３に記載の調整装置。
【請求項５】
前記調整可能なバー要素は、長手方向および交差方向に、前記昇降レバー（１４）に対して、かつ前記昇降レバーによって、移動可能であることを特徴とする、請求項１〜４のいずれか１つに記載の調整装置。
【請求項６】
前記揺動可能なバー要素の少なくとも１つが、長手方向および交差方向の調整要素（１８Ａ）を少なくとも１つ有していることを特徴とする、請求項１〜５のいずれか１つに記載の調整装置。
【請求項７】
前記各バー要素は、前記昇降レバーの揺動によって、互いに別々に揺動可能であることを特徴とする、請求項１〜６のいずれか１つに記載の調整装置。
【請求項８】
前記バー要素の少なくとも１つまたはすべてを揺動させるために、当該バー要素と前記昇降レバーとの間で動作する滑動リンクが設けられていることを特徴とする、請求項１〜７のいずれか１つに記載の調整装置。
【請求項９】
少なくとも１つのバー要素またはバー要素対は、当該バー要素を昇降レバー（１４）に対して揺動をさせる手段と一体的に構成されていることを特徴とする、請求項１〜８のいずれか1つに記載の調整装置。
【請求項１０】
前記調整可能なバー要素がケース状であることを特徴とする、請求項１〜９のいずれか1つに記載の調整装置。
【請求項１１】
前記調整可能なケース状のバー要素は、一体のケース状調整手段を構成していることをを特徴とする、請求項１０に記載の調整装置。
【請求項１２】
前記調整可能なバー要素は、２つに分断されていることを特徴とする、請求項１〜１１のいずれか1つに記載の調整装置。
【請求項１３】
前記昇降レバー（１４）は、バー要素（１６Ａ〜１６Ｇ）内で案内されていることを特徴とする、請求項１〜１２のいずれか1つに記載の調整装置。
【請求項１４】
前記昇降レバー（１４）と少なくとも１つのバー要素との間で強制的案内が行われることを特徴とする、請求項１〜１３のいずれか1つに記載の調整装置。
【請求項１５】
前記昇降レバー（１４，１４’）は片持ちレバーであり、前記調整装置の中間部または基部側、すなわちバー要素（１６Ｅ）、支持台（３２）、及び／又はフレーム（３０）等に揺動可能に備えられていること特徴とする、請求項１〜１４のいずれか1つに記載の調整装置。
【請求項１６】
少なくとも一対の隣接するバー要素の間に引掛り防止手段（２６）を備えていることを特徴とする、請求項１〜１５のいずれか1つに記載の調整装置。
【請求項１７】
ベッド、マットレス、ひじ掛け椅子などに使用する調整装置（１０）であって、支持面（１２Ａ）を構成する支持要素（１２）を連結するべく変位方向（Ａ）に対してある角度で延びるバー要素（１６）と、前記支持面の傾斜を調節するための少なくとも１つの駆動装置と、を具備しており、前記バー要素はリンクチェーンを構成しており、前記バー要素の１つは、当該バー要素を固定台に支持するための出退可能な突張り手段（２０）を備えていることを特徴とする、請求項１〜１６のいずれか1つに記載の調整装置。
【請求項１８】
前記突張り手段（２０）を備えている前記バー要素（１６Ｇ）は、前記突張り手段の動作のための駆動力を伝える揺動部材（５０）を備えていることを特徴とする、請求項１〜１７のいずれか1つに記載の調整装置。
【請求項１９】
前記突張り手段（２０）を備えている前記バー要素（１６Ｇ）の一端は昇降レバー（１４’）により昇降されることを特徴とする、請求項１７又は１８に記載の調整装置。
【請求項２０】
昇降レバー（１４’）が設けられており、当該昇降レバー（１４’）の揺動により前記揺動部材（５０）を揺動させることを特徴とする、請求項１８に記載の調整装置。
【請求項２１】
前記揺動部材（５０）は、前記突張り手段（２０）を備える前記バー要素（１６Ｇ）の内部又は外部に配置されることを特徴とする、請求項１８〜２０のいずれか1つに記載の調整装置。
【請求項２２】
前記突張り手段（２０）は、剛性の脚部（２０Ａ，２０Ｂ）を備えた折曲レバーとして構成されており、前記バー要素（１６Ｇ）に対して角部（２０Ｃ）において揺動可能に接続されていることを特徴とする、請求項１７〜２１のいずれか1つに記載の調整装置。
【請求項２３】
ベッド、マットレス、ひじ掛け椅子などに使用する調整装置（１０）、特に請求項１〜２２のいずれか1つに記載の調整装置であって、支持面（１２Ａ）を保持するべく変位方向（Ａ）に対してある角度で延びるバー要素（１６）と、前記支持面の傾斜を調節するための複数の駆動装置と、を具備しており、前記バー要素は、頭部側（３２Ａ）と、脚部側（３２Ｂ）と、中間部（３２Ｃ）と、を有するリンクチェーンを構成しており、前記中間部（３２Ｃ）を構成する２本のバー要素（１６Ｅ）は、駆動装置としての一対のモータ（６０Ａ，６０）を収容しており、そのシャフト（６２Ａ，６２Ｂ）が前記バー要素（１６Ｅ）に実質的に平行に延びており、かつ前記バー要素（１６Ｅ）と同一面に配置されていることを特徴とする、調整装置。
【請求項２４】
前記モータ（６０Ａ，６０Ｂ）を備えた前記バー要素（１６Ｅ）は、他のバー要素の幅よりも大きいケース状であることを特徴とする、請求項２３に記載の調整装置。
【請求項２５】
前記各バー要素（１６Ｅ）にそれぞれ備えられた２つの第１のモータ（６０Ａ）と、前記各バー要素（１６Ｅ）にそれぞれ備えられた２つの第２のモータ（６０Ｂ）とは、同期制御手段、特にトーションチューブ（１４Ａ，１４Ａ’）によって連動連結されていることを特徴とする、請求項２３又は２４に記載の調整装置。
【請求項２６】
揺動手段、特に前記バー要素（１６）の昇降レバー（１４及び／又は１４’）は、前記モータ（６０Ａ及び／又は６０Ｂ）の前記シャフト（６２Ａ及び／又は６２Ｂ）に対して平行で且つオフセットして配置されていることを特徴とする、請求項２３〜２５のいずれか1つに記載の調整装置。
【請求項２７】
前記頭部側あるいは脚部側の前記バーに連結している２本の昇降レバー（１４，１４’）は、トーションチューブ（１４Ａ，１４Ａ’）によって揺動可能であり、それぞれの端部において前記トーションチューブに連結されて、モータ（６０Ａ又は６０Ｂ）の駆動力の伝達手段を作用させることを特徴とする、請求項２３〜２６のいずれか1つに記載の調整装置。
【発明の詳細な説明】
【技術分野】
【０００１】
本発明は、ベッド、マットレス、ひじ掛け椅子などに使用する調整装置に関する。この調整装置は、変位方向に対してある角度に延びる支持要素およびバー要素と、支持面の傾斜を調節するための少なくとも１つの駆動装置と、を具備しており、当該駆動装置は少なくとも１つの揺動可能な昇降レバーを備えており、前記バー要素はリンクチェーンを構成している。本発明は、揺動可能なバーと、当該バーの間を延びる支持要素で構成された支持面と、を有する、マットレスあるいはクッション、ベッド、ひじ掛け椅子などに使用するための、調整可能な支持装置にも関する。
【背景技術】
【０００２】
このような調整装置としては、例えば、ベッドのマットレスを支持するものが公知である。ベッド枠、あるいは少なくとも横桟が、マットレスなどの支持面を形成する支持要素を保持している。布製の支持材、金属製の格子などの他に、格子状の支持台を形成するバネストリップが使用される。この調整装置は仰向けの姿勢や座った姿勢あるいは少し体を起こした姿勢において快適にリラックスできることを目的としている。
【０００３】
モータ駆動あるいは手動で揺動可能な従来の昇降レバーは、例えば、病院のベッドの傾斜を調整するために使用されている。この昇降レバーは通常、剛性であり、そのほとんどは、座った姿勢あるいは少し体を起こした姿勢のときに外から見えるため、美観を損なうという欠点があり、また、安全性の問題もあった。さらに、この昇降レバーでは２つの部分（頭部側および脚部側）が、それぞれ直線性を保ったまま中間部を中心に揺動可能であった。支持面を形成する横桟の形状を人間の背中および臀部に合うように変えることもできなかった。
【０００４】
この解決案として、横桟をリンクチェーンとして設計して、相対的に揺動させるものが提案された。この揺動動作は、圧力手段や、好ましくはテンションベルトやプルロッドなどによって実行される。しかし、このような調整装置は非常に複雑であるとともに、仰向けの位置から少し起こした姿勢や座った姿勢に起こす場合に非常に多種類の部品を必要とする。この例は国際公開ＷＯ  ０１／２６５０９（下記特許文献１）に開示されている。このような調整装置は、支持、調整、および駆動手段をすべてバーあるいはマットレスやクッションの中に構成しているため、その完成品は非常に美しい外観をしている。しかし、その複雑な構成に加えて、連続的に、あるいは同時に、様々なバー要素を互いに揺動させる操作が不正確になる。実際には、仰向けの姿勢あるいは少し起こした姿勢と、まっすぐに座った姿勢との間の様々な姿勢において、背中、臀部、および脚、特に、脊柱を適正に支えられることが望ましい。
【特許文献１】国際公開ＷＯ  ０１／２６５０９
【発明の開示】
【０００５】
以上の背景から、本発明の目的は、簡易な構成の調整装置を実現することである。本発明の他の目的は、調整装置の機械構成を頑丈に設計し、しかも、人間工学に基づいて多様な調整ができるようにすることである。本発明のさらに他の目的は、調整装置を頑丈でありながら美しく設計し、頭部側や背もたれ部を突出させないことである。安全性を高めることも望ましい。そして、本発明のさらなる目的は、ユーザの仰向けの姿勢と座った姿勢の間のあらゆる傾斜においてバー要素の互いの配置を正確にあるいは必然的に特定することである。
【０００６】
本発明は、請求項１または２に記載されている調整装置と、請求項３に記載された調整可能な支持装置とを提供する。本発明の基本は、少なくとも１つの揺動可能な昇降レバーと、互いに揺動可能な複数のバー要素との組み合わせであり、これによって通常の持ち上げ動作と人間工学に基づいた細かい動作との組み合わせが可能となる。このような調整装置は、頑丈かつ非常に簡易な構成であり、快適で、人間工学上の問題をすべて解決するものであり、後述の実施例により難なく実現される。
【０００７】
従来の剛性のバーと揺動可能な昇降レバーにおいて、請求項１によれば、バーは複数のバー要素に分割され、各バー要素は昇降レバーから独立しているとともに、互いに違う方向に揺動することができる。国際公報ＷＯ  ０１／２６５０９に開示されているように、バーは２本のリンクチェーンである、ベッド、マットレス、ひじ掛け椅子等に使用する調整装置において、請求項２によれば、バーを調整するための実質的に剛性の揺動可能な昇降レバーを、バー要素は（略完全に）収容する。請求項３によると、ベッドのマットレスあるいはクッション、ひじ掛け椅子等に使用する調整可能な支持装置のバーは、実質的に剛性の揺動可能な昇降レバーを備えられており、この昇降レバーは相互に揺動可能な支持要素のリンクチェーンを支持しているとともに、揺動可能な結合部を備えたチェーン状の要素が配置されて、この実施例においてバーの主要な部分を占める。
【０００８】
脚部側が持ち上げられたときにその自由端にかかる力が大きいため、脚部側の突張り手段がこの力を受けて、ベッド枠などの固定台に向ける役割をする。このような突張り手段は通常、簡易な連結棒であり、その一端を支持台に、他端をベッド枠などの固定台に揺動可能に取り付けられる。病院のベッド等に使用されているこの構成では、美しくかつ簡素に設計することは困難であり、支持台とベッド枠等がぴったりと合う必要がある。また、脚部側を手動で揺動させることが困難であり、実用に適さない。簡易かつ簡素で扱いが複雑でない調整装置用の突張り手段を備えた、請求項１〜３に記載の内容から独立して重要な内容を特徴とする、調整装置が請求項１７に記載されている。すなわち、少なくとも１つのバー要素は、バー要素を固定台に固定するための、駆動可能な突張り手段を備えている。この突張り手段の駆動は好ましくは、バー要素の調整動作と同時に、好ましくは、揺動動作のために駆動される昇降レバーによって行われる。対応するバー要素内に形成された揺動部材は、突張り手段を出退させるための簡易な駆動手段の役割をする。
【０００９】
このような調整装置の駆動手段において使用する電気モータを見えないように収容するために、モータを一対ずつ各バー要素に固定した調整装置が請求項２３に記載されている。この構成により、調整装置の頭部側あるいは脚部側の両側のバーが同時に上下されるときに、頭部側および脚部側のバー要素間のねじれが発生しない。この結果、比較的幅の広いベッド、マットレス、ひじ掛け椅子などにも、コンパクトなモータと簡易なギアアセンブリを使用でき、高価なねじれ防止装置に代えることが可能である。このような調整装置は、請求項１〜３に記載の内容から独立して重要な内容を特徴とする。
【００１０】
本発明に使用する上記の構成と、請求の範囲および実施例において記載した構成とにおいて、寸法、形状、材料、および技術的概念は特定の条件に限定されず、当業界において公知の選択基準を適用することができる。
【００１１】
本発明の他の詳細、特徴および利点については従属クレームと、添付の図面を参照して行う後述の実施例とによって明らかとなろう。
【発明を実施するための最良の形態】
【００１２】
図１Ａおよび１Ｂは、本発明に係るベッドマットレス用支持台を示している。剛性のベッドフレーム３０は、木製等の平行な縦材３０Ａと平行な横材３０Ｂとを備えている。支持台３２は縦材３０Ａの間で調整可能に設けられており、多重揺動可能な頭部側３２Ａと多重揺動可能な脚部側３２Ｂとが中間部３２Ｃを介して関節結合されている。中間部３２Ｃは、ベッドフレーム３０の縦材３０Ａにネジなどで永久固定されている。支持台３２は、主に２本の関節型結合バー１６と、これらバー１６を連結するバネストリップ３４とで構成されている。本実施例において、２本のバー１６はそれぞれ７つのバー要素１６Ａ〜１６Ｇを含み、後述するように、これらの要素は互いに揺動可能に結合されている。
【００１３】
図２は、バー１６の頭部側を示している。図によると、各バーは長手方向において垂直に分断されたケース状であり、バーの頭部側とほぼ等しい長さの実質的に剛性の昇降レバー１４を、内側バー部材１６’と外側バー部材１６”との間に完全に収容している。ケース状のバー１６すなわちケース状のバー要素１６Ａ〜１６Ｄは、調整手段１８Ａを一体的に備えており、昇降レバー１４の揺動によって頭部側３２Ａを上下動させるときに、各バー要素を互いに同じか又は違う方向に相対揺動させることができる。本発明による調整装置の他の特徴については、図３Ａ〜５Ｄを参照して第２の実施例で説明する。
【００１４】
図３Ａ〜３Ｄの一連の図と合わせて、図４Ａおよび４Ｂの斜視図から理解されるように、支持台３２の頭部側３２Ａに使用する昇降レバー１４はトーションチューブ１４Ａの軸を中心に揺動する。この揺動のために、本実施例において、四半円形の歯車状部１４Ｂが昇降レバーに形成されており、その端部の孔１４Ｃによってリンクチェーンの一端部が係合される。リンクチェーンの他端部は、図示されていないが、ドイツ特許出願１０２３１２９０．７によれば、中間部３２Ｃに位置するバー要素１６Ｅに備えられた駆動モータに引っ張られている。トーションチューブ１４Ａはその端部を、ベッドフレーム３０の縦材３０Ａ及び／又はバー要素１６Ｅの軸受部あるいは孔に支持してもよい。歯車状部１４Ｂは、ガゼット板の機能を果たすことができる。剛性の昇降レバー１４は金属あるいは同様の剛性の材料で形成されるのが好ましい。本実施例において、昇降レバーには、横向きに突出したピン状の調整要素１８Ｂが形成されており、後述するように、滑動部の機能を果たす。また、昇降レバー１４には角部１４Ｄが少なくとも１つ形成されているため、その外形は直線状ではない。好ましくは、角部１４Ｄは通常変位方向Ａに曲がっている。このため、後述するように、特に頭部側の上端において比例的揺動よりも大きな揺動が可能でありながら、昇降レバー１４がケース状または箱状のバー１６内において一体的に収容されているということ自体は変わらない。
【００１５】
バーの調整要素１８Ａは、バーの内側面部１６’と外側面部１６”との内部にそれぞれ一体的に形成されており、滑動リンクとして機能する。内側面部１６’と外側面部１６”の滑動リンクは、鏡面対称状に並んで形成されて、バー１６の長手方向の接合部分に対して両側に位置しており、昇降レバーの調整要素１８Ｂにおける対応する一対のピンの片方をそれぞれ滑動可能に収容する。
【００１６】
調整要素の機能について、図３Ａ〜３Ｄを参照して下記に詳細に説明する。これらの図によれば、昇降レバーの揺動中心はトーションチューブ１４Ａの軸と一致し、後述するように、箱状またはケース状のバー１６の脚部側、すなわち支持台３２の中間部３２Ｃに位置するバー要素１６Ｅの端部（図の右側）に配置されている。一方、隣接するバー要素１６Ａ〜１６Ｅを互いに揺動させるための軸関節２２は、バーの上面に近い位置に整列配置されている。これは、図３Ａの伸長図に特によく示されている。昇降レバー１４を図３Ａの水平位置から図３Ｂ〜３Ｄの揺動位置のいずれかまで揺動させると、バー要素と昇降レバー間との間に、長手方向の相対移動が生じる。また、昇降レバーの調整要素１８Ｂとバーの調整要素１８Ａとの間に作用する力のため、バー要素には、昇降レバーに対する長手方向の相対移動に随伴して、交差方向の移動も生じる。本実施例において、バーの調整要素１８Ａは滑動リンクとして設計されており、その湾曲は各バー要素の長手方向に対して傾斜している。本実施例においては、調整要素が傾斜角度が異なる滑動リンクとして構成されている。滑動リンクの形状は所望の動作や傾斜角度に応じて変えることができる。図３Ｂからわかるように、最上部のバー要素１６Ａは、昇降レバー１４が上向きに揺動すると、他のバー要素に対して揺動する。この揺動の角度は、バー要素１６Ｂおよび１６Ｃの調整要素１８Ａの傾斜角度に比例して大きくなる。各バー要素が互いに上向きに少し傾斜することによって、昇降レバー１４はバー要素１６Ｂおよび１６Ｃ内でその停止位置（図３Ａ）から少し傾斜する。
【００１７】
図３Ｃに示す位置に昇降レバーを揺動させると、隣接するバー要素１６Ｂおよび１６Ｃが互いに大きく揺動する。この揺動は、昇降レバー１４の上方調整方向Ａに対して反対方向に起こり、いわゆるランバーサポートの状態となる。このような反対方向の揺動は、調整要素１８Ａの傾斜面を工夫することで達成される。これは、図３Ｃおよび３Ｄを比較すると明らかである。
【００１８】
図３Ａ〜３Ｄに示すように、昇降レバー１４を収容しているバー要素は、昇降レバーの揺動と異なり、それぞれ個別に揺動可能である。また、バー要素は連結して、実質的に剛性の昇降レバーの略全体を収容することによって、バー要素の互いの揺動を調整する。さらに、バー要素かかる荷重はすべて、実質的に剛性の昇降レバーに支持され、互いに揺動可能なバー要素からなるリンクチェーンは、バネストリップを支持する。
【００１９】
図３Ａ〜４Ｂに示すように、バー要素の少なくとも１つは縦および交差方向のガイドを少なくとも１つ備え、これによって滑動リンクがバー要素と昇降レバーとの間で動くことができる。さらに、詰まり防止手段２６が隣接するバー要素の間に備えられている。この詰まり防止手段は、軸関節２２と反対側のバー側面に備えられるのが好ましく、図３Ｄの拡大図に示すように、例えば、隙間を埋める円弧状の部品として形成される。横桟３４またはその結合部分の組立ては、切欠２８によって簡易化される。図４Ａ及び４Ｂに示すように、この切欠はバー要素の外側面部及び／又は内側面部の上面に溝状に形成されるのが好ましい。
【００２０】
次に、図５Ａ〜５Ｄに示す第２の実施例による、好ましくはケース状のバー要素１６Ｆおよび１６Ｇは、一体的に形成された調整要素１８Ａによって、昇降レバー１４’に対して長手方向に可動であるとともに、この昇降レバーの調整要素１８Ｂを滑動可能に受容して、一対の滑動部を形成している。簡易化のために、縦材３０Ａに揺動可能に取り付けられた突張り手段２０は、昇降レバーの端部でその負荷の一部を吸収するとともに、図５Ｄに示す休止位置においては、切欠２０Ｅによって受容及び／又は連結される。
【００２１】
図６Ａ〜６Ｅは、本実施例によるバー１６の脚部側を示している。各バー要素は長手方向に垂直に分割されており、図示されているケース状の内側面部１６’とそれに対応する外側面部とを含む。図６Ａ〜６Ｅにおいては、内側面部１６’の側面図が示されている。また、同様に図示されている剛性の昇降レバー１４’は、バー１６によって、内側面部１６’と外側面部１６”の間に完全に収容される。
【００２２】
図６Ａ〜６Ｅから理解されるように、昇降レバー１４’は、支持台３２の脚部側３２Ｂおいて、トーションチューブ１４Ａの軸を中心に揺動可能である。この揺動のために、図示されていないが、リンクチェーンを係合する四半円形の歯車状部が形成されている。このリンクチェーンの他端部は、ドイツ特許出願１０２３１２９０．７によれば、中間部３２Ｃに位置するバー要素１６Ｅに備えられた駆動モータに引っ張られる。トーションチューブ１４Ａはその端部を、ベッドフレーム３０の縦材３０Ａ及び／又はバー要素１６Ｅの軸受部あるいは孔に連結してもよい。歯車状部１４Ｂは、ガゼット板の機能を果たすことができる。剛性の昇降レバー１４’は金属あるいは同様の剛性の材料で形成されるのが好ましい。本実施例において、昇降レバーには、横向きに突出したピン状の調整要素１８Ｂが形成されており、後述するように、滑動部の機能を果たす。また、昇降レバー１４’には少なくとも１つの角部１４Ｄ’が形成されているため、その外形は直線状ではない。好ましくは、角部１４Ｄ’は通常変位方向Ａに向かって曲がっている。バー１６の結合部を負荷から保護することとともに、後述するように、突張り手段を出退させるための駆動機能もまた本発明の重要な要素であり、請求項１〜３に示す特徴とは独立している。
【００２３】
本実施例において、昇降レバーを動かすと臀部（バー要素１６Ｆ）はカム機構によって昇降レバーに追随して移動し、バー要素１６Ｆおよび１６Ｇの間には座屈補償部４０が備えられている。さらに、脚部側３２Ｂ（バー要素１６Ｇ）は、隣接するバー要素１６Ｆに近い上面において軸関節２２を備えている。この軸関節２２はその一部を昇降レバー１４’の一対のカム３６で形成されており、このカムは対応するバー要素１６Ｇの凹部に揺動可能に係合する。この構成によって、接合部としての軸関節２２とカム３６は昇降レバー１４’の上方向の揺動で持ち上げられる。カム３６による揺動可能な接合と脚部側の下部の重み、すなわち、２本の平行なバー要素１６Ｇ、これらのバー要素を連結する支持要素１２およびその上に敷かれるマットレスの重みとによって、バー要素１６Ｇの最端部（図面の右側）は常に縦材３０Ａ等の固定台上に配置されている。しかしこの状態では、縦材３０Ａ等の固定台に平行な方向Ｄへの移動が行われる。
【００２４】
昇降レバー１４’の上方向の揺動によってバー要素１６Ｇを確実に持ち上げるために、出退可能な突張り手段２０がフットレストとして備えられている。本実施例において、出退可能な突張り手段２０は、ある角度に開いている２本の脚２０Ａおよび２０Ｂを有する継手であり、バー要素１６Ｇの端部における接合部に、共通軸２０Ｄの周囲を回転可能な態様で取り付けられている。
【００２５】
図６Ａに示すように、バー１６が延長している状態では、突張り手段２０はその脚部側に完全に収容されているが、その角において揺動すると脚２０Ａが下向きにはみ出して、バー要素１６Ｆの図の右側の端部をバー要素１６Ｇが持ち上げると、脚２０Ａの自由端部は縦材３０Ａ等の固定台に固定される。この持ち上げ動作は、脚２０Ａの駆動機能によって達成される。
【００２６】
この駆動機能のために備えられた揺動部材５０は、その一端において昇降レバー１４’の角部１４Ｄ’を係合し、他端において突張り手段２０の脚２０Ｂの自由端を揺動可能に係合する。揺動部材５０は、ピン５０Ｃの周囲を揺動可能な態様で、バー要素１６Ｇ内に固定される。図面に示すように、揺動部材５０は直線状に延長した金属製の平板で、その両端に長孔５０Ａおよび５０Ｂが形成されている。昇降レバー１４’のピン１４Ｅと突張り手段２０の軸２０Ｄとはこれらの長孔にそれぞれ係合される。昇降レバー１４’が持ち上げられて角部１４Ｄ’が、軸関節２２およびカム３６の周囲をバー要素１６Ｇに対して揺動すると、揺動部材５０がバー要素１６Ｇ内でピン５０Ｃの周囲を揺動する。図６Ａ〜６Ｅに示すように、この揺動部材５０の動作によって、揺動部材に連結されている突張り手段２０が揺動され、バー要素１６Ｇの外にはみ出す。昇降レバー１４’が下げられると、突張り手段２０はバー要素１６Ｇ内に戻される。
【００２７】
この構成により、突張り手段を他の要素に連結させる必要がなくなる。代わりに、駆動装置が、バー１６と一体に形成される。また、固定台に支持されていなくても、単独で動作させることができる。そのため、図６Ｅに示す最上部よりも上に脚部側を手動で移動させることもできる。また、突張り手段２０のはみ出し及び／又は支持面への接触を昇降レバー１４の角度位置または角度範囲を変えるだけで行うことができる。
【００２８】
本発明のバー要素は、頭部側、中間部、および脚部側に各１つでもよい。
【００２９】
図７Ａ〜８Ｂに示す第３の実施例において、上記と同一の動作を行う要素については同一の符号を使用している。本実施例の構成は、上記の実施例においても適用することができる。中間部３２Ｃの剛性のバー要素１６Ｅは、２つのモータ６０Ａ，６０Ｂを備えており、バー要素１６Ｅ内に互いに平行に収容されているこのモータは、バー要素１６Ｅと略平行に延長しているシャフト６２Ａ，６２Ｂを備えている。２００２年７月１０日出願のドイツ特許出願第１０２３１２９０．７に開示されているように、また図７Ａまたは図８Ａおよび８Ｂの双頭矢印で示すように、外側のモータ６０Ａは、直線ガイドキャリッジ６３Ａの出力軸を介して動作し、歯車状部１４Ｂに係合しているリンクチェーン６４Ａを引っ張る。トーションチューブ１４Ａまたは１４Ａ’に形成された四半円歯車状部１４Ｂは、頭部側の２本の昇降レバー１４と同面に、かつ、脚部側の２本の昇降レバー１４’から離れた位置に配置されて、移動するバー要素が同一の垂直面に延長するように、このリンクチェーンに係合している。
【００３０】
もちろん、対面する各バーに備えられた一対のモータ６０Ａ，６０Ｂの動作は電気的手段によるものでもよいが、トーションチューブとの連結作用は簡易かつ効果的でなければならない。
【図面の簡単な説明】
【００３１】
【図１Ａ】図１Ａは、ベッドマットレス用の調整可能な支持台を起こした状態で示した斜視図である。
【図１Ｂ】図１Ｂは、調整可能な支持台を寝かせた状態で示した斜視図である。
【図２】支持台の頭部側のバーを拡大した斜視図である。
【図３Ａ】図３Ａは、図２のバーを延長した状態でバーの内側を簡略して示した側面図である。
【図３Ｂ】図３Ｂは、バーを少し起こした状態でバーの内側を示した図である。
【図３Ｃ】図３Ｃは、バーをさらに起こした状態でバーの内側を示した図である。
【図３Ｄ】図３Ｄは、バーを直立させた状態でバーの内側を示した図である。
【図４Ａ】図４Ａは、図３Ａ〜３Ｄのバーを（図２に関連して）示した拡大斜視図である。
【図４Ｂ】図４Ｂは、組みたてられた状態のバーの部分断面図である。
【図５Ａ−５Ｄ】図５Ａ〜５Ｄは、図３Ａ〜４Ｂのバーの脚部側の一連の動作を示した図である。
【図６】図６Ａは、ベッドマットレス用の調整可能な支持台の第２の実施例を示す側面図であり、脚部側を構成するバー要素の内側、特に、調整可能な支持台が休止位置で延長した状態を詳細に示しており、図６Ｂ〜６Ｅは、様々な調整位置にある同様のバー要素の内側を示している。
【図７Ａ】図７Ａは、ベッドマットレスやひじ掛け椅子用の調整可能な支持台の第３の実施例を示す平面図であり、支持台は無調整の休止状態にある。
【図７Ｂ】図７Ｂは、調整装置の一方の縦材に備えられたモータアセンブリを示す拡大図である。
【図８Ａ】図８Ａは、図７Ａ,７Ｂの調整装置の頭部側に備えられた一対の昇降レバーの連結状態を示す斜視図である。
【図８Ｂ】図８Ｂは、図７Ａ,７Ｂの調整装置の脚部側に備えられた一対の昇降レバーの連結状態を示す斜視図である。
【符号の説明】
【００３２】
Ａ                       通常変位方向
Ｄ                       平行方向
１０                     調整装置
１２                     支持要素
１２Ａ                   支持面
１４                     昇降レバー
１４Ａ                   トーションチューブ
１４Ｂ                   歯車状部
１４Ｃ                   孔
１４Ｄ                   角部
１４Ｄ’                 角部
１４’                   昇降レバー
１６                     バー
１６’                   内側面部
１６”                   外側面部
１６Ａ−１６Ｇ           バー要素
１８                     調整手段
１８Ａ                   バーの調整手段
１８Ｂ                   昇降レバーの調整手段
２０                     フットレスト（突張り手段）
２０Ａ                   脚
２０Ｂ                   脚
２０Ｃ                   角
２０Ｄ                   軸
２０Ｅ                   切欠
２２                     軸関節
２４                     駆動装置
２６                     引掛り防止手段
２８                     切欠
３０                     ベッドフレーム
３０Ａ                   縦材
３０Ｂ                   横材
３２                     支持台
３２Ａ                   頭部側
３２Ｂ                   脚部側
３２Ｃ                   中間部
３４                     横桟
４０                     座屈促進部
５０                     揺動部材
５０Ａ                   長孔
５０Ｂ                   長孔
５０Ｃ                   ピン
６０Ａ                   モータ
６０Ｂ                   モータ
６２Ａ                   シャフト
６２Ｂ                   シャフト
６３Ａ                   キャリッジ
６３Ｂ                   キャリッジ
６４Ａ                   リンクチェーン
６４Ｂ                   リンクチェーン
【図１Ａ】
2005532145.tif 000003
【図１Ｂ】
2005532145.tif 000004
【図２】
2005532145.tif 000005
【図３Ａ】
2005532145.tif 000006
【図３Ｂ】
2005532145.tif 000007
【図３Ｃ】
2005532145.tif 000008
【図３Ｄ】
2005532145.tif 000009
【図４Ａ】
2005532145.tif 000010
【図４Ｂ】
2005532145.tif 000011
【図５Ａ】
2005532145.tif 000012
【図５Ｂ】
2005532145.tif 000013
【図５Ｃ】
2005532145.tif 000014
【図５Ｄ】
2005532145.tif 000015
【図６】
2005532145.tif 000016
【図７Ａ】
2005532145.tif 000017
【図７Ｂ】
2005532145.tif 000018
【図８Ａ】
2005532145.tif 000019
【図８Ｂ】
2005532145.tif 000020
【国際調査報告】
2005532145.tif 000021
2005532145.tif 000022
2005532145.tif 000023
2005532145.tif 000024
2005532145.tif 000025
2005532145.tif 000026